(57)【要約】【課題】スロット内での伝搬路特性の変動に追従し、受信性能を向上すること。【解決手段】ＴＳＣ伝搬路推定部１０８、先端ＴＢ伝搬路推定部１１０および後端ＴＢ伝搬路推定部１１２は、ＴＳＣ区間Ａ、先端ＴＢ区間Ｂおよび後端ＴＢ区間Ｃにおける伝搬路特性をそれぞれ推定する。タップ数推定部１１４、１１６、１１８は、推定された各伝搬路特性に基づいて上記の各区間におけるタップ数を推定する。前半データ用復調制御部１２０および後半データ用復調制御部１２２は、推定された各タップ数に基づいて復調部１２４での復調処理を制御するための制御信号をそれぞれ生成する。復調部１２４は、生成された各制御信号に従って、受信信号メモリ１０６から得られた受信信号を復調する。【選択図】      図１
2004159077.tif 000002
【特許請求の範囲】
【請求項１】
複数の既知信号をそれぞれ含む複数のスロットから成る受信信号を復調する復調手段と、
各スロットに含まれる複数の既知信号を用いて各スロット内の複数のポイントにおける伝搬路特性を推定する伝搬路特性推定手段と、
推定された伝搬路特性に基づいて前記復調手段における復調処理を制御する制御手段と、
を有することを特徴とするデータ受信装置。
【請求項２】
前記制御手段は、
推定された各伝搬路特性に基づいて対応する各ポイントにおけるタップ数を推定するタップ数推定手段を有し、
推定された各タップ数に基づいて復調処理の制御を行うことを特徴とする請求項１記載のデータ受信装置。
【請求項３】
前記制御手段は、
推定されたタップ数の変動を監視する監視手段をさらに有し、
前記タップ数推定手段は、
前記監視手段の監視結果に基づいてタップ数の推定を行うことを特徴とする請求項２記載のデータ受信装置。
【請求項４】
前記制御手段は、
推定された伝搬路特性に基づいて受信信号の主波を検出する主波検出手段と、
検出された主波のレベルを測定するレベル測定手段と、
測定されたレベルの変動を監視する監視手段と、を有し、
前記監視手段の監視結果に基づいて復調処理の制御を行うことを特徴とする請求項１記載のデータ受信装置。
【請求項５】
前記制御手段は、
推定された伝搬路特性に基づいて受信信号の主波を検出する主波検出手段と、
検出された主波の位相を測定する位相測定手段と、
測定された位相の変動を監視する監視手段と、を有し、
前記監視手段の監視結果に基づいて復調処理の制御を行うことを特徴とする請求項１記載のデータ受信装置。
【請求項６】
前記制御手段は、
推定された各伝搬路特性に基づいて対応する各ポイントにおけるタップ数を推定するタップ数推定手段と、
推定されたタップ数の変動を監視するタップ数変動監視手段と、
推定された伝搬路特性に基づいて受信信号の主波を検出する主波検出手段と、
検出された主波のレベルを測定するレベル測定手段と、
検出された主波の位相を測定する位相測定手段と、
測定されたレベルの変動を監視するレベル変動監視手段と、
測定された位相の変動を監視する位相変動監視手段と、を有し、
前記タップ数推定手段は、
前記タップ数変動監視手段の監視結果に基づいてタップ数の推定を行い、
前記制御手段は、
推定されたタップ数、前記レベル変動監視手段の監視結果および前記位相変動監視手段の監視結果に基づいて復調処理の制御を行うことを特徴とする請求項１記載のデータ受信装置。
【請求項７】
複数の既知信号をそれぞれ含む複数のスロットから成る受信信号を復調する復調ステップと、
各スロットに含まれる複数の既知信号を用いてスロット内での複数のポイントにおける伝搬路特性を推定する伝搬路特性推定ステップと、
伝搬路特性推定ステップで推定した伝搬路特性に基づいて前記復調ステップにおける復調処理を制御する制御ステップと、
を有することを特徴とするデータ受信方法。
【発明の詳細な説明】
【０００１】
【発明の属する技術分野】
本発明は、データ受信装置およびデータ受信方法に関する。
【０００２】
【従来の技術】
一般に、移動体通信システムに用いられるデータ受信装置（たとえば、移動局）は、受信信号を構成する複数のスロットにそれぞれ含まれる既知信号を予め記憶しており、受信信号と既知信号との相関を求めることによって伝搬路特性を推定し、推定された伝搬路特性に基づいて、復調処理（たとえば、適応等化処理）を行う復調部で使用されるタップ数およびタップ係数を推定する。
【０００３】
従来のデータ受信装置は、まず受信信号および既知信号の相関値を求め、求められた相関値の大きさを所定の閾値と比較し、閾値以上の相関値を示す位置が集中しているか否かを判定し、この判定結果に基づいてタップ数およびタップ係数を推定し受信信号を復調している（たとえば、特許文献１参照）。
【０００４】
【特許文献１】
特開平８−５６１８６号公報（第５−７頁）
【０００５】
【発明が解決しようとする課題】
しかしながら、従来のデータ受信装置は、復調部において使用されるタップ数をスロット毎に推定する。つまり、一度タップ数およびタップ係数が推定されるとそのスロット内ではタップ数およびタップ係数は再推定されないため、後で詳述するように、伝搬路特性が１スロットの期間内で変動した場合は、従来のデータ受信装置は、復調処理の際にその伝搬路特性の変動に追従することができない。よって、受信性能の向上に一定の限界があった。
【０００６】
本発明は、かかる点に鑑みてなされたものであり、各スロット内での伝搬路特性の変動に追従することができ、受信性能を向上することができるデータ受信装置およびデータ受信方法を提供することを目的とする。
【０００７】
【課題を解決するための手段】
本発明のデータ受信装置は、複数の既知信号をそれぞれ含む複数のスロットから成る受信信号を復調する復調手段と、各スロットに含まれる複数の既知信号を用いてスロット内の複数のポイントにおける伝搬路特性を推定する伝搬路特性推定手段と、推定された伝搬路特性に基づいて前記復調手段における復調処理を制御する制御手段と、を有する構成を採る。
【０００８】
この構成によれば、複数のスロットに含まれる複数の既知信号を利用して、これら複数の既知信号を用いてスロット内の複数のポイントにおける伝搬路特性を推定し、これら複数ポイントにおける伝搬路特性に基づいて復調処理を制御する、つまり、復調処理の制御に用いられる伝搬路特性を１スロットの期間内で複数回推定するため、復調処理の際にスロット内での伝搬路特性の変動に追従することができ、受信性能を向上することができる。
【０００９】
本発明のデータ受信装置は、上記構成において、前記制御手段は、推定された各伝搬路特性に基づいて対応する各ポイントにおけるタップ数を推定するタップ数推定手段を有し、推定された各タップ数に基づいて復調処理の制御を行う構成を採る。
【００１０】
この構成によれば、推定された各伝搬路特性に基づいて対応する各ポイントにおけるタップ数を推定し、これら推定されたタップ数に基づいて復調処理の制御を行う、つまり、復調処理の制御に用いられるタップ数を１スロットの期間内で複数回推定するため、復調処理の際にスロット内での伝搬路特性の変動に追従することができ、受信性能を向上することができる。
【００１１】
本発明のデータ受信装置は、上記構成において、前記制御手段は、推定されたタップ数の変動を監視する監視手段をさらに有し、前記タップ数推定手段は、前記監視手段の監視結果に基づいてタップ数の推定を行う構成を採る。
【００１２】
この構成によれば、推定されたタップ数の変動を、たとえば、統計的な方法で監視し、この監視結果に基づいてタップ数の推定を行うため、たとえば、伝搬路特性の変動が小さい場合や伝搬路特性の変動がない場合には、タップ数の推定範囲を制限してタップ数の推定を行うことができ、タップ数を推定する際の演算処理量を低減することができる。
【００１３】
本発明のデータ受信装置は、上記構成において、前記制御手段は、推定された伝搬路特性に基づいて受信信号の主波を検出する主波検出手段と、検出された主波のレベルを測定するレベル測定手段と、測定されたレベルの変動を監視する監視手段と、を有し、前記監視手段の監視結果に基づいて復調処理の制御を行う構成を採る。
【００１４】
この構成によれば、伝搬路特性に基づいて受信信号の主波を検出し、検出された主波のレベルを測定し、測定されたレベルの変動を、たとえば、統計的な方法で監視し、この監視結果に基づいて復調処理の制御を行うため、主波のレベルの変動に応じて復調処理の制御を行うことができ、復調処理の際にスロット内での伝搬路特性の変動に追従することができ、受信性能を向上することができる。
【００１５】
本発明のデータ受信装置は、上記構成において、前記制御手段は、推定された伝搬路特性に基づいて受信信号の主波を検出する主波検出手段と、検出された主波の位相を測定する位相測定手段と、測定された位相の変動を監視する監視手段と、を有し、前記監視手段の監視結果に基づいて復調処理の制御を行う構成を採る。
【００１６】
この構成によれば、伝搬路特性に基づいて受信信号の主波を検出し、検出された主波の位相を測定し、測定された位相の変動を、たとえば、統計的な方法で監視し、この監視結果に基づいて復調処理の制御を行うため、主波のレベルの変動に応じて復調処理の制御を行うことができ、復調処理の際にスロット内での伝搬路特性の変動に追従することができ、受信性能を向上することができる。
【００１７】
本発明のデータ受信装置は、上記構成において、前記制御手段は、推定された伝搬路特性に基づいて対応する各ポイントにおけるタップ数を推定するタップ数推定手段と、推定されたタップ数の変動を監視するタップ数変動監視手段と、推定された伝搬路特性に基づいて受信信号の主波を検出する主波検出手段と、検出された主波のレベルを測定するレベル測定手段と、検出された主波の位相を測定する位相測定手段と、測定されたレベルの変動を監視するレベル変動監視手段と、測定された位相の変動を監視する位相変動監視手段と、を有し、前記タップ数推定手段は、前記タップ数変動監視手段の監視結果に基づいてタップ数の推定を行い、前記制御手段は、推定されたタップ数、前記レベル変動監視手段の監視結果および前記位相変動監視手段の監視結果に基づいて復調処理の制御を行う構成を採る。
【００１８】
この構成によれば、伝搬路特性に基づいて推定されたタップ数の変動を、たとえば、統計的な方法で監視し、この監視結果に基づいてタップ数の推定を行い、伝搬路特性に基づいて受信信号の主波を検出し、検出された主波のレベルおよび位相を測定し、測定されたレベルおよび位相の変動を、たとえば、統計的な方法でそれぞれ監視し、推定されたタップ数、レベル変動の監視結果および位相変動の監視結果に基づいて復調処理の制御を行うため、たとえば、伝搬路特性の変動が小さい場合や伝搬路特性の変動がない場合には、タップ数の推定範囲を制限してタップ数の推定を行うことができ、タップ数を推定する際の演算処理量を低減することができる。また、主波のレベルの変動および位相の変動に応じて復調処理の制御を行うことができ、復調処理の際にスロット内での伝搬路特性の変動に追従することができ、受信性能を向上することができる。
【００１９】
本発明のデータ受信方法は、複数の既知信号をそれぞれ含む複数のスロットから成る受信信号を復調する復調ステップと、各スロットに含まれる複数の既知信号を用いてスロット内での複数のポイントにおける伝搬路特性を推定する伝搬路特性推定ステップと、伝搬路特性推定ステップで推定した伝搬路特性に基づいて前記復調ステップにおける復調処理を制御する制御ステップと、を有するようにした。
【００２０】
この方法によれば、複数のスロットに含まれる複数の既知信号を利用して、これら複数の既知信号を用いてスロット内の複数のポイントにおける伝搬路特性を推定し、これら複数ポイントにおける伝搬路特性に基づいて復調処理を制御する、つまり、復調処理の制御に用いられる伝搬路特性を１スロットの期間内で複数回推定するため、復調処理の際にスロット内での伝搬路特性の変動に追従することができ、受信性能を向上することができる。
【００２１】
【発明の実施の形態】
本発明の骨子は、受信信号を構成する複数のスロットにそれぞれ含まれる複数の既知信号を用いてスロット内の複数のポイントにおける伝搬路特性を推定することにより、復調処理の際にスロット内での伝搬路特性の変動に追従し、受信性能を向上することである。
【００２２】
以下、本発明の実施の形態について、図面を参照して詳細に説明する。なお、ここでは、ＧＳＭ（Ｇｌｏｂａｌ  Ｓｙｓｔｅｍｓ  ｆｏｒ  Ｍｏｂｉｌｅ  ｃｏｍｍｕｎｉｃａｔｉｏｎｓ）方式の移動体通信システムに適用されるデータ受信装置（たとえば、移動局）について説明する。
【００２３】
（実施の形態１）
図１は、本発明の実施の形態１に係るデータ受信装置の構成を示すブロック図である。
【００２４】
図１に示すデータ受信装置１００は、アンテナ１０２、無線処理部１０４、受信信号メモリ１０６、ＴＳＣ伝搬路推定部１０８、先端ＴＢ伝搬路推定部１１０、後端ＴＢ伝搬路推定部１１２、タップ数推定部１１４、１１６、１１８、前半データ用復調制御部１２０、後半データ用復調制御部１２２および復調部１２４を有する。
【００２５】
アンテナ１０２は、基地局（図示せず）から送信された信号を受信し、無線処理部１０４は、受信信号をＲＦ（Ｒａｄｉｏ  Ｆｒｅｑｕｅｎｃｙ）信号からベースバンド信号へダウンコンバートする。ダウンコンバートされた受信信号は、受信信号メモリ１０６へ出力される。
【００２６】
ここで、アンテナ１０２によって受信される信号のフレーム構成について説明する。図２は、ＧＳＭ方式の移動体通信システムにおいて用いられる信号のフレーム構成を説明するための図である。
【００２７】
図２に示す信号は、所定の時間長を有するＴＤＭＡ（Ｔｉｍｅ  Ｄｉｖｉｓｉｏｎ  ＭｕｌｔｉｐｌｅＡｃｃｅｓｓ）フレームの系列によって構成されている。１つのＴＤＭＡフレームは、互いに同一の時間長および構成を有する所定の数（たとえば、８個）のスロットによって構成されている。１スロットは、トレーニング系列符号（ＴＳＣ：Ｔｒａｉｎｉｎｇ  Ｓｅｑｕｅｎｃｅ  Ｃｏｄｅ）１５０、テールビット（ＴＢ：Ｔａｉｌ  Ｂｉｔ）１５２、１５４、データ１５６、１５８およびガードインターバル１６０によって構成されている。
【００２８】
ＴＳＣ１５０は、所定の符号長（たとえば、２６ビット）を有する既知信号であり、ＴＳＣ１５０の区間（以下「ＴＳＣ区間」と言う）Ａは、スロットの中央部に位置する。ＴＢ１５２、１５４は、いずれも所定の符号長（たとえば、３ビット）を有する既知信号であり、ＴＢ１５２の区間（以下「先端ＴＢ区間」と言う）Ｂはスロットの先端部に位置し、ＴＢ１５４の区間（以下「後端ＴＢ区間」と言う）Ｃはスロットの後端部に位置する。データ１５６は、復調部１２４によって復調されるデータであり、データ１５６の区間（以下「前半データ区間」と言う）Ｄは、先端ＴＢ区間ＢおよびＴＳＣ区間Ａの間に位置する。データ１５８は、復調部１２４によって復調されるデータであり、データ１５８の区間（以下「後半データ区間」と言う）Ｅは、ＴＳＣ区間Ａと後端ＴＢ区間Ｃの間に位置する。ガードインターバル１６０は後続のスロットとの境界を示し、ガードインターバル１６０の区間Ｆは、後端ＴＢ区間Ｃと後続のスロットとの間に挿入されている。
【００２９】
ＴＳＣ伝搬路推定部１０８は、ＴＳＣ１５０と同一の信号（以下「記憶ＴＳＣ」と言う）を予め記憶しており、記憶ＴＳＣと受信信号メモリ１０６に記憶された受信信号との相関を取ることによって、受信信号中のＴＳＣ（以下「受信ＴＳＣ」と言う）１５０を検出し、ＴＳＣ区間Ａにおける伝搬路特性としてタップ係数を推定する。具体的には、推定されるタップ係数は、たとえば、復調部１２４で６タップが使用されると想定した場合のタップ係数、５タップが使用されると想定した場合のタップ係数、４タップが使用されると想定した場合のタップ係数、３タップが使用されると想定した場合のタップ係数および２タップが使用されると想定した場合のタップ係数である。そして、推定されたタップ係数をタップ数推定部１１４へ出力する。また、ＴＳＣ伝搬路推定部１０８は、受信ＴＳＣ１５０の検出によって得られた同期情報を受信信号メモリ１０６へ出力する。
【００３０】
受信信号メモリ１０６は、無線処理部１０４によってダウンコンバートされた受信信号を一時記憶する。また、受信信号メモリ１０６は、ＴＳＣ伝搬路推定部１０８から出力された同期情報を取得して、この同期情報を受信信号に付加して復調部１２４へ出力する。
【００３１】
先端ＴＢ伝搬路推定部１１０は、ＴＢ１５２と同一の信号（以下「記憶先端ＴＢ」と言う）を予め記憶しており、記憶先端ＴＢと受信信号メモリ１０６に記憶されている受信信号との相関を取ることによって、受信信号中のＴＢ（以下「受信先端ＴＢ」と言う）１５２を検出し、先端ＴＢ区間Ｂにおける伝搬路特性としてタップ係数を推定する。推定されるタップ係数の具体例は、ＴＳＣ伝搬路推定部１０８によって推定されるタップ係数と同様である。そして、推定されたタップ係数をタップ数推定部１１６へ出力する。
【００３２】
後端ＴＢ伝搬路推定部１１２は、ＴＢ１５４と同一の信号（以下「記憶後端ＴＢ」と言う）を予め記憶しており、記憶後端ＴＢと受信信号メモリ１０６に記憶されている受信信号との相関を取ることによって、受信信号中のＴＢ（以下「受信後端ＴＢ」と言う）１５４を検出し、後端ＴＢ区間Ｃにおける伝搬路特性としてタップ係数を推定する。推定されるタップ係数の具体例は、ＴＳＣ伝搬路推定部１０８および先端ＴＢ伝搬路推定部１１０によってそれぞれ推定されるタップ係数と同様である。そして、推定されたタップ係数をタップ数推定部１１８へ出力する。
【００３３】
ここで、本発明の効果の根拠として、伝搬路特性の変動について、説明する。図３は、ＧＳＭ方式の移動体通信システムにおけるフェードデュレーションを説明するための図である。ただし、信号の送信周波数を９６０ＭＨｚとし、移動局の移動速度を２５０ｋｍ／ｈとする。フェードデュレーションは伝搬路特性を表す指数の１つとして知られており、あるパスの信号のレベル（たとえば、電力レベル）が受信信号の平均のレベルより所定値以上落ち込み続ける時間の平均値を示すものである。
【００３４】
図３に示すとおり、あるパスの信号のレベルが平均レベルより２０ｄＢ以上低い（レベル差：−２０ｄＢ）状態のフェードデュレーションは、１３９μｓである。一般に、ＧＳＭ方式の移動体通信システムにおいて用いられる信号のスロットは４００μｓ以上の時間長を有するから、伝搬路特性は１スロットの期間よりも短い期間で変動し得ることが理解できる。したがって、１スロットの期間内で１回だけ伝搬路特性の推定およびタップ数の推定を行う従来のデータ受信装置では、スロット内での伝搬路特性の変動に追従できないのに対して、本実施の形態に係るデータ受信装置では、１スロットの期間内で複数回伝搬路特性を推定することによって、スロット内での伝搬路特性の変動に追従でき、受信性能の向上を実現できる。
【００３５】
タップ数推定部１１４は、ＴＳＣ伝搬路推定部１０８によって推定されたＴＳＣ区間Ａのタップ係数に基づいて、タップ数を推定する。そして、タップ数推定部１１４は、推定されたＴＳＣ区間Ａに対応するタップ数を前半データ用復調制御部１２０および後半データ用復調制御部１２２へ出力する。
【００３６】
ここで、推定されたタップ係数に基づくタップ数の具体的な推定動作について説明する。まず、タップ数推定部１１４は、記憶ＴＳＣと復調部１２４で使用されるタップ数が６個である場合を想定して推定されたタップ係数とを用いて受信信号の第１のレプリカを生成する。同様に、タップ数推定部１１４は、復調部１２４で使用されるタップ数が５個である場合を想定して推定されたタップ係数、復調部１２４で使用されるタップ数が４個である場合を想定して推定されたタップ係数、復調部１２４で使用されるタップ数が３個である場合を想定して推定されたタップ係数および復調部１２４で使用されるタップ数が２個である場合を想定して推定されたタップ係数の各々と記憶ＴＳＣとを用いて受信信号の第２から第５のレプリカをそれぞれ生成する。そして、生成された第１から第５のレプリカの各々と受信信号とを用いて上記の２個から６個のタップ数にそれぞれ対応する誤差を算出する。そして、２個から６個のタップ数のうち、対応する誤差が最小であるものをＴＳＣ区間Ａに対応するタップ数に決定する。
【００３７】
タップ数推定部１１６は、先端ＴＢ伝搬路推定部１１０によって推定された先端ＴＢ区間Ｂのタップ係数に基づいて、タップ数を推定する。タップ数の具体的な推定動作は、上記のタップ数推定部１１４と同様である。そして、このようにして推定された先端ＴＢ区間Ｂに対応するタップ数を前半データ用復調制御部１２０へ出力する。
【００３８】
タップ数推定部１１８は、後端ＴＢ伝搬路推定部１１２によって推定された後端ＴＢ区間Ｃのタップ係数に基づいて、タップ数を推定する。タップ数の具体的な推定動作は、上記のタップ数推定部１１４、１１６と同様である。そして、このようにして推定された後端ＴＢ区間Ｃに対応するタップ数を後半データ用復調制御部１２２へ出力する。
【００３９】
なお、タップ数推定部１１４、１１６、１１８で推定されるタップ数の範囲（以下「推定範囲」と言う）は、２個から６個までと予め決められている。ＴＳＣ伝搬路推定部１０８、先端ＴＢ伝搬路推定部１１０および後端ＴＢ伝搬路推定部１１２が２個から６個のタップ数を想定してタップ係数の推定を行うのはこのためである。
【００４０】
ただし、推定範囲は上記の２個から６個に限定されない。たとえば、タップ数推定部１１４、１１６、１１８は、２個から７個の推定範囲でタップ数の推定を行っても良い。この場合、ＴＳＣ伝搬路推定部１０８、先端ＴＢ伝搬路推定部１１０および後端ＴＢ伝搬路推定部１１２は、２個から７個のタップ数を想定してタップ係数の推定を行う。
【００４１】
前半データ用復調制御部１２０は、タップ数推定部１１４によって推定されたＴＳＣ区間Ａに対応するタップ数とタップ数推定部１１６によって推定された先端ＴＢ区間Ｂに対応するタップ数とを用いて復調部１２４での復調処理を制御するための制御信号を生成して、生成された制御信号を復調部１２４へ出力する。
【００４２】
具体的には、ＴＳＣ区間Ａに対応するタップ数と先端ＴＢ区間Ｂに対応するタップ数とを比較し、大きい方のタップ数を使用するように復調部１２４での復調処理を制御するための制御信号を生成して復調部１２４へ出力する。たとえば、先端ＴＢ区間Ｂに対応するタップ数が３個でありＴＳＣ区間Ａに対応するタップ数が５個である場合、復調部１２４における復調処理で５タップを使用させる制御信号を生成して復調部１２４へ出力する。
【００４３】
さらに、前半データ用復調制御部１２０は、ＴＳＣ区間Ａに対応するタップ数と先端ＴＢ区間Ｂに対応するタップ数との変動に合わせて、復調部１２４での復調処理における適応アルゴリズムのステップサイズ（復調部においてタップ係数を修正する際の修正幅）を変更させる制御信号を生成する。具体的には、たとえば、先端ＴＢ区間Ｂに対応するタップ数が３個でありＴＳＣ区間Ａに対応するタップ数が５個である場合、より早く受信状態を良くするためにタップ数の増加分だけステップサイズを大きくする。また、先端ＴＢ区間Ｂに対応するタップ数が５個でありＴＳＣ区間Ａに対応するタップ数が３個である場合、より確実に受信状態を良くするためにタップ数の減少分だけステップサイズを小さくする。そして、このようにステップサイズを変更させる制御信号を生成して復調部１２４へ出力する。
【００４４】
後半データ用復調制御部１２２は、タップ数推定部１１４によって推定されたＴＳＣ区間Ａに対応するタップ数とタップ数推定部１１８によって推定された後端ＴＢ区間Ｃに対応するタップ数とを用いて復調部１２４での復調処理を制御するための制御信号を生成して、生成された制御信号を復調部１２４へ出力する。制御信号の具体的な生成方法は、前半データ用復調制御部１２０と同様である。
【００４５】
復調部１２４は、前半データ用復調制御部１２０および後半データ用復調制御部１２２から得られた制御信号に従って、受信信号メモリ１０６から得られた受信信号を復調する。より具体的には、前半データ用復調制御部１２０から得られた制御信号に従って、前半データ区間Ｄに含まれるデータ１５６を復調し、後半データ用復調制御部１２２から得られた制御信号に従って、後半データ区間Ｅに含まれるデータ１５８を復調する。そして、復調部１２４は、このようにして得られた復調データを出力する。
【００４６】
次いで、上記構成を有するデータ受信装置１００の動作について説明する。
【００４７】
まず、無線処理部１０４で、アンテナ１０２で受信した信号をＲＦ信号からベースバンド信号へダウンコンバートする。
【００４８】
そして、受信信号メモリ１０６で、無線処理部１０４でダウンコンバートした受信信号を一時記憶する。
【００４９】
そして、ＴＳＣ伝搬路推定部１０８で、記憶ＴＳＣと受信信号メモリ１０６で記憶した受信信号との相関を取ることによって、受信信号中の受信ＴＳＣ１５０を検出し、ＴＳＣ区間Ａにおける伝搬路特性としてタップ係数を推定する。そして、推定されたタップ係数をタップ数推定部１１４へ出力する。また、ＴＳＣ伝搬路推定部１０８は、受信ＴＳＣ１５０の検出によって得られた同期情報を受信信号メモリ１０６へ出力する。
【００５０】
また、先端ＴＢ伝搬路推定部１１０で、ＴＳＣ伝搬路推定部１０８と同様に、記憶先端ＴＢと受信信号メモリ１０６で記憶した受信信号とを用いて、先端ＴＢ区間Ｂの伝搬路特性としてタップ係数を推定する。そして、推定されたタップ係数をタップ数推定部１１６へ出力する。
【００５１】
また、後端ＴＢ伝搬路推定部１１２で、ＴＳＣ伝搬路推定部１０８および先端ＴＢ伝搬路推定部１１０と同様に、記憶後端ＴＢと受信信号メモリ１０６で記憶した受信信号とを用いて、後端ＴＢ区間Ｃの伝搬路特性としてタップ係数を推定する。そして、推定されたタップ係数をタップ数推定部１１８へ出力する。
【００５２】
そして、受信信号メモリ１０６で、ＴＳＣ伝搬路推定部１０８から得られた同期情報を受信信号に付加して復調部１２４へ出力する。
【００５３】
そして、タップ数推定部１１４で、ＴＳＣ伝搬路推定部１０８で推定したＴＳＣ区間Ａのタップ係数に基づいて、タップ数を推定する。そして、推定されたＴＳＣ区間Ａに対応するタップ数を前半データ用復調制御部１２０および後半データ用復調制御部１２２へ出力する。
【００５４】
また、タップ数推定部１１６で、先端ＴＢ伝搬路推定部１１０で推定した先端ＴＢ区間Ｂのタップ係数に基づいて、タップ数を推定する。そして、推定された先端ＴＢ区間Ｂに対応するタップ数を前半データ用復調制御部１２０へ出力する。
【００５５】
また、タップ数推定部１１８で、後端ＴＢ伝搬路推定部１１２で推定した後端ＴＢ区間Ｃのタップ係数に基づいて、タップ数を推定する。そして、推定された後端ＴＢ区間Ｃに対応するタップ数を後半データ用復調制御部１２２へ出力する。
【００５６】
そして、前半データ用復調制御部１２０で、タップ数推定部１１４で推定したＴＳＣ区間Ａに対応するタップ数およびタップ数推定部１１６で推定した先端ＴＢ区間Ｂに対応するタップ数とを用いて、復調部１２４での復調処理を制御するための制御信号を生成して復調部１２４へ出力する。
【００５７】
また、後半データ用復調制御部１２２で、タップ数推定部１１４で推定したＴＳＣ区間Ａに対応するタップ数およびタップ数推定部１１８で推定した後端ＴＢ区間Ｃに対応するタップ数とを用いて、復調部１２４での復調処理を制御するための制御信号を生成して復調部１２４へ出力する。
【００５８】
そして、復調部１２４で、前半データ用復調制御部１２０から得られた制御信号および後半データ用復調制御部１２２から得られた制御信号に従って、受信信号メモリ１０６から得られた受信信号を復調する。
【００５９】
このように、本実施の形態によれば、記憶ＴＳＣ、記憶先端ＴＢおよび記憶後端ＴＢを用いてスロット内の複数のポイント（すなわち、ＴＳＣ区間Ａ、先端ＴＢ区間Ｂおよび後端ＴＢ区間Ｃ）における伝搬路特性を推定し、これら複数ポイントにおける伝搬路特性に基づいて復調部１２４における復調処理を制御する、つまり、復調処理の制御に用いられる伝搬路特性を１スロットの期間内で複数回推定するため、復調処理の際にスロット内での伝搬路特性の変動に追従することができ、受信性能を向上することができる。また、推定された各伝搬路特性に基づいて対応する各ポイントにおけるタップ数を推定し、これら推定されたタップ数に基づいて復調部１２４における復調処理を制御する、つまり、復調処理の制御に用いられる伝搬路特性を１スロットの期間内で複数回推定するため、復調処理の際にスロット内での伝搬路特性の変動に追従することができ、受信性能を向上することができる。
【００６０】
なお、実施の形態１に係るデータ受信装置１００は、ＧＳＭ方式の移動体通信システムに適用された構成を有し、図２に示すフレーム構成を有する信号を受信すると述べたが、ＧＳＭ方式への適用のみに限定されない。複数の既知信号が１スロット内に含まれるフレーム構成を有する移動体通信システムであれば如何なる方式の移動体通信システムにもこのデータ受信装置を適用することができる。
【００６１】
（実施の形態２）
図４は、本発明の実施の形態２に係るデータ受信装置の構成を示すブロック図である。なお、図４に示すデータ受信装置２００は、図１に示すデータ受信装置１００と同様の基本的構成を有しており、同一の構成要素には同一の参照符号を付し、その説明を省略する。
【００６２】
実施の形態２の特徴は、１スロットの期間内の複数のポイントにおける伝搬路特性を推定し、各伝搬路特性に基づいて推定されたタップ数の変動を監視するようにしたことである。そのために、図２に示すデータ受信装置２００は、データ受信装置１００におけるタップ数推定部１１４、１１６、１１８の代わりにタップ数推定部１１４ａ、１１６ａ、１１８ａを有し、タップ数変動監視部２０２、２０４、２０６を有する。
【００６３】
タップ数推定部１１４ａは、ＴＳＣ伝搬路推定部１０８によって推定されたＴＳＣ区間Ａのタップ係数およびタップ数変動監視部２０２から得られた指示信号に基づいて、タップ数を推定する。タップ数の具体的な推定方法については、後述する。そして、推定されたタップ数をタップ数変動監視部２０２、前半データ用復調制御部１２０および後半データ用復調制御部１２２へ出力する。
【００６４】
タップ数推定部１１６ａは、先端ＴＢ伝搬路推定部１１０によって推定された先端ＴＢ区間Ｂのタップ係数およびタップ数変動監視部２０４から得られた指示信号に基づいて、タップ数を推定する。タップ数の具体的な推定方法は、タップ数推定部１１４ａと同様である。そして、推定されたタップ数をタップ数変動監視部２０４および前半データ用復調制御部１２０へ出力する。
【００６５】
タップ数推定部１１８ａは、後端ＴＢ伝搬路推定部１１２によって推定された後端ＴＢ区間Ｃのタップ係数およびタップ数変動監視部２０４から得られた指示信号に基づいて、タップ数を推定する。タップ数の具体的な推定方法は、タップ数推定部１１４ａ、１１６ａと同様である。そして、推定されたタップ数をタップ数変動監視部２０６および後半データ用復調制御部１２２へ出力する。
【００６６】
タップ数変動監視部２０２は、タップ数推定部１１４ａによって推定されたタップ数の変動を複数のスロットにわたって統計的な方法で監視する。そして、監視結果としての指示信号を生成してタップ数推定部１１４ａへ出力する。
【００６７】
具体的には、基準推定範囲（たとえば、２個から６個の推定範囲）でタップ数の推定が行われており、かつ、複数のスロットにおいて基準推定範囲内の特定のタップ数（たとえば、３タップ）が推定された割合が所定値（たとえば、９０％）未満である場合、タップ数変動監視部２０２は伝搬路特性の変動が大きいと判断し、基準推定範囲でのタップ数の推定を継続させる指示信号をタップ数推定部１１４ａへ出力する。
【００６８】
また、基準推定範囲（たとえば、２個から６個の推定範囲）でタップ数の推定が行われており、かつ、複数のスロットにおいて基準推定範囲内の特定のタップ数（たとえば、３タップ）が推定された割合が所定値（たとえば、９０％）以上である場合、タップ数変動監視部２０２は伝搬路特性の変動が小さいと判断し、基準推定範囲より範囲が制限された制限推定範囲（たとえば、２個から４個の推定範囲）に変更してタップ数の推定を行わせる指示信号をタップ数推定部１１４ａへ出力する。
【００６９】
さらに、制限推定範囲（たとえば、２個から４個の推定範囲）でタップ数の推定が行われており、かつ、複数のスロットにおいて制限推定範囲の中心タップ数（たとえば、３タップ）が推定された割合が所定値（たとえば、９０％）以上である場合、タップ数変動監視部２０２は伝搬路特性の変動がないと判断し、制限推定範囲でのタップ数の推定を継続させる指示信号をタップ数推定部１１４ａへ出力する。
【００７０】
さらに、制限推定範囲（たとえば、２個から４個の推定範囲）でタップ数の推定が行われており、かつ、複数のスロットにおいて制限推定範囲の中心タップ数（たとえば、３タップ）が推定された割合が所定値（たとえば、９０％）未満である場合、タップ数変動監視部２０２は伝搬路特性の変動があると判断し、制限推定範囲から基準推定範囲に戻してタップ数の推定を行わせる指示信号をタップ数推定部１１４ａへ出力する。
【００７１】
なお、タップ数の変動を監視する期間の単位は、複数のスロットに限定されず、複数のフレームにわたって監視を行っても良い。
【００７２】
また、タップ数変動監視部２０４は、タップ数推定部１１６ａによって推定されたタップ数の変動を複数のスロットにわたって統計的な方法で監視する。そして、監視結果としての指示信号を生成してタップ数推定部１１６ａへ出力する。具体的な監視方法は、タップ数変動監視部２０２と同様である。
【００７３】
また、タップ数変動監視部２０６は、タップ数推定部１１８ａによって推定されたタップ数の変動を複数のスロットにわたって統計的な方法で監視する。そして、監視結果としての指示信号を生成してタップ数推定部１１８ａへ出力する。具体的な監視方法は、タップ数変動監視部２０２、２０４と同様である。
【００７４】
次いで、上記構成を有するデータ受信装置２００におけるタップ数変動監視の動作について説明する。
【００７５】
タップ数推定部１１４ａでは、ＴＳＣ伝搬路推定部１０８で推定したＴＳＣ区間Ａのタップ係数に基づいて、通常推定範囲または制限推定範囲においてタップ数を推定する。そして、推定されたタップ数をタップ数変動監視部２０２、前半データ用復調制御部１２０および後半データ用復調制御部１２２へ出力する。
【００７６】
そして、タップ数変動監視部２０２で、タップ数推定部１１４ａで推定したＴＳＣ区間Ａに対応するタップ数の変動を複数のスロットにわたって監視し、通常推定範囲でタップ数の推定を行わせる指示信号または制限推定範囲でタップ数の推定を行わせる指示信号を監視結果として生成してタップ数推定部１１４ａへ出力する。
【００７７】
タップ数推定部１１６ａおよびタップ数変動監視部２０４での動作ならびにタップ数推定部１１８ａおよびタップ数変動監視部２０６での動作は、タップ数推定部１１４ａおよびタップ数変動監視部２０２での動作と同様であり、先端ＴＢ区間Ｂおよび後端ＴＢ区間Ｃにそれぞれ対応する。
【００７８】
このように、本実施の形態によれば、タップ数の変動を統計的な方法で監視し、タップ数変動監視部２０２、２０４、２０６の監視結果に基づいてタップ数の推定を行うため、伝搬路特性の変動が小さい場合や伝搬路特性の変動がない場合には、タップ数の推定範囲を制限してタップ数の推定を行うことができ、タップ数を推定する際の演算処理量を低減することができる。
【００７９】
なお、本実施の形態において、タップ数変動監視部２０２、２０４、２０６は、指示信号をタップ数推定部１１４ａ、１１６ａ、１１８ａへそれぞれ出力しているが、一変更例として、指示信号をＴＳＣ伝搬路推定部１０８、先端ＴＢ伝搬路推定部１１０および後端ＴＢ伝搬路推定部１１２へそれぞれ出力する構成を採っても良い。この場合、タップ数変動監視部２０２、２０４、２０６は、上述のようなタップ数の推定に関する指示信号を生成するだけでなく、タップ係数の推定に関する指示信号を生成する。
【００８０】
具体的には、ＴＳＣ伝搬路推定部１０８によって基準推定範囲（たとえば、２個から６個の推定範囲）でタップ係数の推定が行われており、かつ、タップ数推定部１１４ａによって複数のスロットにおいて基準推定範囲内の特定のタップ数（たとえば、３タップ）が推定された割合が所定値（たとえば、９０％）未満である場合、タップ数変動監視部２０２は伝搬路特性の変動が大きいと判断し、基準推定範囲でのタップ係数の推定を継続させる指示信号を生成してＴＳＣ伝搬路推定部１０８へ出力する。
【００８１】
この場合、ＴＳＣ伝搬路推定部１０８は、タップ数変動監視部２０２から得られた指示信号に従って、基準推定範囲でのタップ係数の推定を継続する。たとえば、ＴＳＣ伝搬路推定部１０８は、復調部１２４で６タップが使用されると想定した場合のタップ係数、５タップが使用されると想定した場合のタップ係数、４タップが使用されると想定した場合のタップ係数、３タップが使用されると想定した場合のタップ係数および２タップが使用されると想定した場合のタップ係数の推定を行う。
【００８２】
また、ＴＳＣ伝搬路推定部１０８によって基準推定範囲（たとえば、２個から６個の推定範囲）でタップ係数の推定が行われており、かつ、タップ数推定部１１４ａによって複数のスロットにおいて基準推定範囲内の特定のタップ数（たとえば、３タップ）が推定された割合が所定値（たとえば、９０％）以上である場合、タップ数変動監視部２０２は、伝搬路特性の変動が小さいと判断し、基準推定範囲より範囲が制限された制限推定範囲（たとえば、２個から４個の推定範囲）に変更してタップ係数の推定を行わせる指示信号を生成してＴＳＣ伝搬路推定部１０８へ出力する。
【００８３】
この場合、ＴＳＣ伝搬路推定部１０８は、タップ数変動監視部２０２から得られた指示信号に従って、制限推定範囲でのタップ係数の推定を行う。たとえば、ＴＳＣ伝搬路推定部１０８は、復調部１２４で４タップが使用されると想定した場合のタップ係数、３タップが使用されると想定した場合のタップ係数および２タップが使用されると想定した場合のタップ係数の推定を行う。
【００８４】
さらに、ＴＳＣ伝搬路推定部１０８によって制限推定範囲（たとえば、２個から４個の推定範囲）でタップ係数の推定が行われており、かつ、タップ数推定部１１４ａによって複数のスロットにおいて制限推定範囲の中心タップ数（たとえば、３タップ）が推定された割合が所定値（たとえば、９０％）以上である場合、タップ数変動監視部２０２は伝搬路特性の変動がないと判断し、制限推定範囲でのタップ係数の推定を継続させる指示信号を生成してＴＳＣ伝搬路推定部１０８へ出力する。
【００８５】
この場合、ＴＳＣ伝搬路推定部１０８は、タップ数変動監視部２０２から得られた指示信号に従って、制限推定範囲でのタップ係数の推定を継続する。たとえば、ＴＳＣ伝搬路推定部１０８は、復調部１２４で４タップが使用されると想定した場合のタップ係数、３タップが使用されると想定した場合のタップ係数および２タップが使用されると想定した場合のタップ係数の推定を行う。
【００８６】
さらに、ＴＳＣ伝搬路推定部１０８によって制限推定範囲（たとえば、２個から４個の推定範囲）でタップ係数の推定が行われており、かつ、タップ数推定部１１４ａによって複数のスロットにおいて制限推定範囲の中心タップ数（たとえば、３タップ）が推定された割合が所定値（たとえば、９０％）未満である場合、タップ数変動監視部２０２は伝搬路特性の変動があると判断し、制限推定範囲から基準推定範囲に戻してタップ係数の推定を行わせる指示信号を生成してＴＳＣ伝搬路推定部１０８へ出力する。
【００８７】
この場合、ＴＳＣ伝搬路推定部１０８は、タップ数変動監視部２０２から得られた指示信号に従って、基準推定範囲でのタップ係数の推定を行う。たとえば、ＴＳＣ伝搬路推定部１０８は、復調部１２４で６タップが使用されると想定した場合のタップ係数、５タップが使用されると想定した場合のタップ係数、４タップが使用されると想定した場合のタップ係数、３タップが使用されると想定した場合のタップ係数および２タップが使用されると想定した場合のタップ係数の推定を行う。
【００８８】
また、タップ数変動監視部２０４、２０６の指示信号生成動作は、タップ数変動監視部２０２と同様である。また、先端ＴＢ伝搬路推定部１１０および後端ＴＢ伝搬路推定部１１２のタップ係数推定動作は、ＴＳＣ伝搬路推定部１０８と同様である。
【００８９】
このように、タップ数変動監視部２０２、２０４、２０６が指示信号をＴＳＣ伝搬路推定部１０８、先端ＴＢ伝搬路推定部１１０および後端ＴＢ伝搬路推定部１１２へそれぞれ出力する構成を採ることによって、伝搬路特性の変動が小さい場合や伝搬路特性の変動がない場合にタップ係数の推定範囲を制限してタップ係数の推定を行うことができ、タップ係数を推定する際の演算処理量を低減することができる。
【００９０】
また、実施の形態２に係るデータ受信装置の構成は図４に示す通りであるが、一変更例として、図５に示すような構成を有しても良い。図４に示すデータ受信装置２００は、１スロット内の複数のポイント（すなわち、ＴＳＣ区間Ａ、先端ＴＢ区間Ｂおよび後端ＴＢ区間Ｃ）における伝搬路特性に基づくタップ数の変動を監視するが、図５に示すデータ受信装置２５０は、１スロット内の１ポイント（たとえば、ＴＳＣ区間Ａ）における伝搬路特性に基づくタップ数だけの変動を監視する構成を有し、データ受信装置２００における前半データ用復調制御部１２０および後半データ用復調制御部１２２の代わりに復調制御部２５２を有し、復調部１２４の代わりに復調部２５４を有する。
【００９１】
復調制御部２５２は、データ受信装置２００における前半データ用復調制御部１２０および後半データ用復調制御部１２２と同様の方法によって、タップ数推定部１１４ａによって推定されたＴＳＣ区間Ａに対応するタップ数に基づいて復調部２５４での復調処理を制御するための制御信号を出力し、復調部２５４は、データ受信装置２００における復調部１２４と同様の方法によって、復調制御部２５２から得られた制御信号に従って受信信号メモリ１０６から得られた受信信号を復調する。
【００９２】
このように、図５に示すデータ受信装置２５０においても、伝搬路特性の変動が小さい場合や伝搬路特性の変動がない場合にタップ数の推定範囲を制限してタップ数の推定を行うことができ、タップ数およびタップ係数を推定する際の演算処理量を低減することができる。
【００９３】
また、実施の形態２に係るデータ受信装置２００は、ＧＳＭ方式の移動体通信システムに適用された構成を有し、図２に示すＧＳＭ方式のフレーム構成を有する信号を受信すると述べたが、ＧＳＭ方式への適用のみに限定されない。複数の既知信号が１スロット内に含まれるフレーム構成を有する移動体通信システムであれば如何なる方式の移動体通信システムにもこのデータ受信装置を適用することができる。
【００９４】
（実施の形態３）
図６は、本発明の実施の形態３に係るデータ受信装置の構成を示すブロック図である。なお、図６に示すデータ受信装置３００は、図１に示すデータ受信装置１００と同様の基本的構成を有しており、同一の構成要素には同一の参照符号を付し、その説明を省略する。
【００９５】
実施の形態３の特徴は、１スロットの期間内の複数のポイントにおける伝搬路特性を推定し、各伝搬路特性に基づいて、主波のレベルの変動監視を行うようにしたことである。そのために、図６に示すデータ受信装置３００は、データ受信装置１００における先端ＴＢ伝搬路推定部１１０、後端ＴＢ伝搬路推定部１１２、前半データ用復調制御部１２０および後半データ用復調制御部１２２の代わりに、先端ＴＢ伝搬路推定部１１０ａ、後端ＴＢ伝搬路推定部１１２ａ、前半データ用復調制御部１２０ａおよび後半データ用復調制御部１２２ａをそれぞれ有し、主波検出部３０２、主波レベル測定部３０４、３０６および主波レベル変動監視部３０８、３１０、３１２を有する。
【００９６】
主波検出部３０２は、ＴＳＣ伝搬路推定部１０８によって推定されたタップ係数を用いて、受信信号の最大のレベル（たとえば、電力レベル）を測定し、測定された最大のレベルを有するパスの位相を測定することによって、受信信号の主波を検出する。そして、測定された主波のレベルを主波レベル変動監視部３０８へ出力する。また、主波検出部３０２は、検出された主波の位相を先端ＴＢ伝搬路推定部１１０ａおよび後端ＴＢ伝搬路推定部１１２ａへ出力する。
【００９７】
先端ＴＢ伝搬路推定部１１０ａは、主波検出部３０２から得られた主波の位相を用いて受信先端ＴＢ１５２の同期を取り、実施の形態１における先端ＴＢ伝搬路推定部１１０と同様に、先端ＴＢ区間Ｂのタップ係数を推定する。そして、先端ＴＢ伝搬路推定部１１０ａは、推定されたタップ係数をタップ数推定部１１６および主波レベル測定部３０４へ出力する。
【００９８】
後端ＴＢ伝搬路推定部１１２ａは、主波検出部３０２から得られた主波の位相を用いて受信後端ＴＢ１５４の同期を取り、実施の形態１における先端ＴＢ伝搬路推定部１１２と同様に、後端ＴＢ区間Ｃのタップ係数を推定する。そして、後端ＴＢ伝搬路推定部１１２ａは、推定されたタップ係数をタップ数推定部１１８および主波レベル測定部３０６へ出力する。
【００９９】
主波レベル測定部３０４は、先端ＴＢ伝搬路推定部１１０ａによって推定された先端ＴＢ区間Ｂのタップ係数を用いて、主波のレベルを測定する。そして、測定されたレベルを主波レベル変動監視部３１０へ出力する。
【０１００】
主波レベル測定部３０６は、後端ＴＢ伝搬路推定部１１２ａによって推定された後端ＴＢ区間Ｃのタップ係数を用いて、主波のレベルを測定する。そして、測定されたレベルを主波レベル変動監視部３１２へ出力する。
【０１０１】
主波レベル変動監視部３０８は、主波検出部３０２によって測定された主波のレベルの変動を複数のスロットにわたって統計的な方法で監視する。そして、レベルの変動の監視結果を前半データ用復調制御部１２０ａおよび後半データ用復調制御部１２２ａへ出力する。
【０１０２】
具体的には、複数のスロットにおいて測定された複数のレベルの統計を取り、測定されたレベルが所定の範囲内にある割合が所定値以上である場合は、主波のレベルの変動が小さいと判断する。一方、測定されたレベルが所定の範囲内にある割合が所定値以上でない場合は、主波のレベルの変動が大きいと判断する。
【０１０３】
なお、主波レベル変動監視部３０８での監視方法は、上記の方法に限定されない。たとえば、測定されたレベルのうち、値が最大のものと最小のものの差を求め、この差を所定の閾値と比較しても良い。この場合、その差が閾値以上である場合は主波のレベルの変動が大きいと判断し、差が閾値未満である場合は主波のレベルの変動が小さいと判断する。
【０１０４】
また、レベルの変動を監視する期間の単位は、複数のスロットに限定されず、複数のフレームにわたって監視を行っても良い。
【０１０５】
主波レベル変動監視部３１０は、主波レベル測定部３０４によって測定された主波のレベルの変動を複数のスロットにわたって統計的な方法で監視する。そして、レベルの変動の監視結果を前半データ用復調制御部１２０ａへ出力する。
【０１０６】
主波レベル変動監視部３１２は、主波レベル測定部３０６によって測定された主波のレベルの変動を複数のスロットにわたって統計的な方法で監視する。そして、レベルの変動の監視結果を後半データ用復調制御部１２２ａへ出力する。
【０１０７】
なお、主波レベル変動監視部３１０、３１２における具体的な監視方法は、主波レベル変動監視部３０８と同様である。
【０１０８】
前半データ用復調制御部１２０ａは、実施の形態１における前半データ用復調制御部１２０と同様に、タップ数推定部１１４によって推定されたＴＳＣ区間Ａに対応するタップ数とタップ数推定部１１６によって推定された先端ＴＢ区間Ｂに対応するタップ数とを用いて、復調部１２４での復調処理を制御するための制御信号を生成して、生成された制御信号を復調部１２４へ出力する。
【０１０９】
さらに、前半データ用復調制御部１２０ａは、主波レベル変動監視部３０８によるＴＳＣ区間Ａにおける主波のレベル変動の監視結果と主波レベル変動監視部３１０による先端ＴＢ区間Ｂにおける主波のレベル変動の監視結果とを用いて、復調部１２４での復調処理を制御するための制御信号を生成して、生成された制御信号を復調部１２４へ出力する。
【０１１０】
具体的には、前半データ用復調制御部１２０ａは、主波レベル変動監視部３０８によって主波のレベルの変動が大きいと判断された時および主波レベル変動監視部３１０によって主波のレベルの変動が大きいと判断された時に、データ受信装置３００の移動速度が大きいと判断し、復調部１２４での復調処理において適応アルゴリズムを実行させる制御信号を生成する。一方、主波レベル変動監視部３０８および主波レベル変動監視部３１０によって主波のレベルの変動が小さいと判断された時は、データ受信装置３００の移動速度が小さいと判断し、復調部１２４での復調処理において適応アルゴリズムを実行させない制御信号を生成する。
【０１１１】
なお、レベル変動の監視結果に基づく制御方法は上記に限定されず、適応アルゴリズムの実行を制御する代わりに、復調部１２４での復調処理における適応アルゴリズムのステップサイズなどのパラメータを変更させる制御信号を生成しても良い。
【０１１２】
後半データ用復調制御部１２２ａは、前半データ用復調制御部１２０ａと同様の方法によって、タップ推定部１１４によって推定されたＴＳＣ区間Ａに対応するタップ数およびタップ数推定部１１８によって推定された後端ＴＢ区間Ｃに対応するタップ数と、主波レベル変動監視部３０８によるＴＳＣ区間Ａにおける主波のレベル変動の監視結果および主波レベル変動監視部３１２による後端ＴＢ区間Ｃにおける主波のレベル変動の監視結果とを用いて、復調部１２４での復調処理を制御するための制御信号をそれぞれ生成して、生成された制御信号を復調部１２４へ出力する。
【０１１３】
次いで、上記構成を有するデータ受信装置３００における主波レベル変動監視の動作について説明する。
【０１１４】
主波検出部３０２では、ＴＳＣ伝搬路推定部１０８で推定したタップ係数を用いて、受信信号の最大のレベル（たとえば、電力レベル）を測定し、測定された最大のレベルを有するパスの位相を測定することによって、受信信号の主波を検出する。そして、測定された主波のレベルを主波レベル変動監視部３０８へ出力する。また、主波検出部３０２は、検出された主波の位相を先端ＴＢ伝搬路推定部１１０ａおよび後端ＴＢ伝搬路推定部１１２ａへ出力する。
【０１１５】
そして、先端ＴＢ伝搬路推定部１１０ａで、主波検出部３０２から得られた主波の位相を用いて受信先端ＴＢ１５２の同期を取り、先端ＴＢ区間Ｂのタップ係数を推定する。そして、推定されたタップ係数をタップ数推定部１１６および主波レベル測定部３０４へ出力する。
【０１１６】
また、後端ＴＢ伝搬路推定部１１２ａで、主波検出部３０２から得られた主波の位相を用いて受信後端ＴＢ１５４の同期を取り、後端ＴＢ区間Ｃのタップ係数を推定する。そして、推定されたタップ係数をタップ数推定部１１８および主波レベル測定部３０６へ出力する。
【０１１７】
そして、主波レベル測定部３０４で、先端ＴＢ伝搬路推定部１１０ａで推定した先端ＴＢ区間Ｂのタップ係数を用いて、主波のレベルを測定する。そして、測定されたレベルを主波レベル変動監視部３１０へ出力する。
【０１１８】
また、主波レベル測定部３０６で、後端ＴＢ伝搬路推定部１１２ａで推定した後端ＴＢ区間Ｃのタップ係数を用いて、主波のレベルを測定する。そして、測定されたレベルを主波レベル変動監視部３１２へ出力する。
【０１１９】
そして、主波レベル変動監視部３０８で、主波検出部３０２で測定した主波のレベルの変動を複数のスロットにわたって統計的な方法で監視する。そして、レベルの変動の監視結果を前半データ用復調制御部１２０ａおよび後半データ用復調制御部１２２ａへ出力する。
【０１２０】
また、主波レベル変動監視部３１０で、主波レベル測定部３０４で測定した主波のレベルの変動を複数のスロットにわたって統計的な方法で監視する。そして、レベルの変動の監視結果を前半データ用復調制御部１２０ａへ出力する。
【０１２１】
また、主波レベル変動監視部３１２で、主波レベル測定部３０６で測定した主波のレベルの変動を複数のスロットにわたって統計的な方法で監視する。そして、レベルの変動の監視結果を後半データ用復調制御部１２２ａへ出力する。
【０１２２】
そして、前半データ用復調制御部１２０ａで、タップ数推定部１１４で推定したＴＳＣ区間Ａに対応するタップ数およびタップ数推定部１１６で推定した先端ＴＢ区間Ｂに対応するタップ数と、主波レベル変動監視部３０８によるＴＳＣ区間Ａにおける主波のレベル変動の監視結果および主波レベル変動監視部３１０による先端ＴＢ区間Ｂにおける主波のレベル変動の監視結果とを用いて、復調部１２４での復調処理を制御するための制御信号をそれぞれ生成して、生成された制御信号を復調部１２４へ出力する。
【０１２３】
また、後半データ用復調制御部１２２ａで、タップ推定部１１４で推定したＴＳＣ区間Ａに対応するタップ数およびタップ数推定部１１８で推定した後端ＴＢ区間Ｃに対応するタップ数と、主波レベル変動監視部３０８によるＴＳＣ区間Ａにおける主波のレベル変動の監視結果および主波レベル変動監視部３１２による後端ＴＢ区間Ｃにおける主波のレベル変動の監視結果とを用いて、復調部１２４での復調処理を制御するための制御信号をそれぞれ生成して、生成された制御信号を復調部１２４へ出力する。
【０１２４】
このように、本実施の形態によれば、伝搬路特性に基づいて受信信号の主波を検出し、検出された主波のレベルを測定し、測定されたレベルの変動を統計的な方法で監視し、主波レベル変動監視部３０８、３１０、３１２の監視結果に基づいて復調部１２４における復調処理の制御を行うため、主波のレベルの変動に応じて復調処理の制御を行うことができ、復調処理の際にスロット内での伝搬路特性の変動に追従することができ、受信性能を向上することができる。
【０１２５】
なお、実施の形態３に係るデータ受信装置の構成は図６に示す通りであるが、一変更例として、図７に示すような構成を有しても良い。図６に示すデータ受信装置３００は、１スロット内の複数のポイント（すなわち、ＴＳＣ区間Ａ、先端ＴＢ区間Ｂおよび後端ＴＢ区間Ｃ）における伝搬路特性のそれぞれに基づいて主波のレベルの変動を監視するが、図７に示すデータ受信装置３５０は、１スロット内の１ポイント（たとえば、ＴＳＣ区間Ａ）における伝搬路特性だけに基づいて主波のレベルの変動を監視する構成を有し、データ受信装置３００における前半データ用復調制御部１２０ａおよび後半データ用復調制御部１２２ａの代わりに復調制御部３５２を有し、復調部１２４の代わりに復調部３５４を有する。
【０１２６】
復調制御部３５２は、データ受信装置３００における前半データ用復調制御部１２０ａおよび後半データ用復調制御部１２２ａと同様の方法によって、タップ数推定部１１４によって推定されたＴＳＣ区間Ａに対応するタップ数と、主波レベル変動監視部３０８による主波のレベルの変動の監視結果とに基づいて復調部３５４での復調処理を制御するための制御信号をそれぞれ出力し、復調部３５４は、データ受信装置３００における復調部１２４と同様の方法によって、復調制御部３５２から得られた制御信号に従って受信信号メモリ１０６から得られた受信信号を復調する。
【０１２７】
このように、図７に示すデータ受信装置３５０においても、伝搬路特性に基づいて主波のレベルの変動を監視し、主波レベル変動監視部３０８の監視結果に基づいて復調部３５４における復調処理の制御を行うため、主波のレベルの変動に応じて復調処理の制御を行うことができ、受信性能を向上することができる。
【０１２８】
また、実施の形態３に係るデータ受信装置は、ＧＳＭ方式の移動体通信システムに適用された構成を有し、図２に示すＧＳＭ方式のフレーム構成を有する信号を受信すると述べたが、ＧＳＭ方式への適用のみに限定されない。複数の既知信号が１スロット内に含まれるフレーム構成を有する移動体通信システムであれば如何なる方式の移動体通信システムにもこのデータ受信装置を適用することができる。
【０１２９】
（実施の形態４）
図８は、本発明の実施の形態４に係るデータ受信装置の構成を示すブロック図である。なお、図８に示すデータ受信装置４００は、図１に示すデータ受信装置１００と同様の基本的構成を有しており、同一の構成要素には同一の参照符号を付し、その説明を省略する。
【０１３０】
実施の形態４の特徴は、１スロットの期間内の複数のポイントにおける伝搬路特性を推定し、各伝搬路特性に基づいて、主波の位相の変動監視を行うようにしたことである。そのために、図８に示すデータ受信装置４００は、データ受信装置１００における先端ＴＢ伝搬路推定部１１０、後端ＴＢ伝搬路推定部１１２、前半データ用復調制御部１２０および後半データ用復調制御部１２２の代わりに、実施の形態３に係るデータ受信装置３００と同様の先端ＴＢ伝搬路推定部１２０ａおよび後端ＴＢ伝搬路推定部１１２ａ、前半データ用復調制御部１２０ｂならびに後半データ用復調制御部１２２ｂを有し、主波検出部４０２、主波位相測定部４０４、４０６および主波位相変動監視部４０８、４１０、４１２をさらに有する。
【０１３１】
主波検出部４０２は、実施の形態３における主波検出部３０２と同様の方法によって、受信信号の主波を検出する。そして、検出された主波の位相を主波位相変動監視部４０８、先端ＴＢ伝搬路推定部１１０ａおよび後端ＴＢ伝搬路推定部１１２ａへ出力する。
【０１３２】
主波位相測定部４０４は、先端ＴＢ伝搬路推定部１１０ａによって推定された先端ＴＢ区間Ｂのタップ係数を用いて、主波の位相を測定する。そして、測定された位相を主波位相変動監視部４１０へ出力する。
【０１３３】
主波位相測定部４０６は、後端ＴＢ伝搬路推定部１１２ａによって推定された後端ＴＢ区間Ｃのタップ係数を用いて、主波の位相を測定する。そして、測定された位相を主波位相変動監視部４１２へ出力する。
【０１３４】
主波位相変動監視部４０８は、主波検出部４０２によって検出された主波の位相の変動を複数のスロットにわたって統計的な方法で監視する。そして、位相の変動の監視結果を前半データ用復調制御部１２０ｂおよび後半データ用復調制御部１２２ｂへ出力する。
【０１３５】
具体的には、複数のスロットにおいて測定された複数の位相の統計を取り、測定された位相が所定の範囲内にある割合が所定値以上である場合は、主波の位相の変動が小さいと判断する。一方、測定された位相が所定の範囲内にある割合が所定値以上でない場合は、主波の位相の変動が大きいと判断する。
【０１３６】
なお、主波位相変動監視部４０８での監視方法は、上記の方法に限定されない。たとえば、測定された位相のうち、値が最大のものと最小のものの差を求め、この差を所定の閾値と比較しても良い。この場合、その差が閾値以上である場合は主波の位相の変動が大きいと判断し、差が閾値未満である場合は主波の位相の変動が小さいと判断する。
【０１３７】
また、位相の変動を監視する期間の単位は、複数のスロットに限定されず、複数のフレームにわたって監視を行っても良い。
【０１３８】
主波位相変動監視部４１０は、主波位相測定部４０４によって測定された主波の位相の変動を複数のスロットにわたって統計的な方法で監視する。そして、位相の変動の監視結果を前半データ用復調制御部１２０ｂへ出力する。
【０１３９】
主波位相変動監視部４１２は、主波位相測定部４０６によって測定された主波の位相の変動を複数のスロットにわたって統計的な方法で監視する。そして、位相の変動の監視結果を後半データ用復調制御部１２２ｂへ出力する。
【０１４０】
なお、主波位相変動監視部４１０および主波位相変動監視部４１２における具体的な監視方法は、主波位相変動監視部４０８と同様である。
【０１４１】
前半データ用復調制御部１２０ｂは、実施の形態１における前半データ用復調制御部１２０と同様に、タップ数推定部１１４によって推定されたＴＳＣ区間Ａに対応するタップ数とタップ数推定部１１６によって推定された先端ＴＢ区間Ｂに対応するタップ数とを用いて、復調部１２４での復調処理を制御するための制御信号を生成して、生成された制御信号を復調部１２４へ出力する。
【０１４２】
さらに、前半データ用復調制御部１２０ｂは、主波位相変動監視部４０８によるＴＳＣ区間Ａにおける主波の位相変動の監視結果と主波位相変動監視部４１０による先端ＴＢ区間Ｂにおける主波の位相変動の監視結果とを用いて、復調部１２４での復調処理を制御するための制御信号を生成して、生成された制御信号を復調部１２４へ出力する。
【０１４３】
具体的には、前半データ用復調制御部１２０ｂは、主波位相変動監視部４０８によって主波のレベルの変動が大きいと判断された時および主波位相変動監視部４１０によって主波の位相の変動が大きいと判断された時に、データ受信装置４００の移動速度が大きいと判断し、復調部１２４での復調処理において適応アルゴリズムを実行させる制御信号を生成する。一方、主波位相変動監視部４０８および主波位相変動監視部４１０によって主波の位相の変動が小さいと判断された時は、データ受信装置４００の移動速度が小さいと判断し、復調部１２４での復調処理において適応アルゴリズムを実行させない制御信号を生成する。
【０１４４】
なお、位相変動の監視結果に基づく制御方法は上記に限定されず、適応アルゴリズムの実行を制御する代わりに、復調部１２４での復調処理における適応アルゴリズムのステップサイズなどのパラメータを変更させる制御信号を生成しても良い。
【０１４５】
後半データ用復調制御部１２２ｂは、前半データ用復調制御部１２０ｂと同様の方法によって、タップ推定部１１４によって推定されたＴＳＣ区間Ａに対応するタップ数およびタップ数推定部１１８によって推定された後端ＴＢ区間Ｃに対応するタップ数と、主波位相変動監視部４０８によるＴＳＣ区間Ａにおける主波の位相変動の監視結果および主波位相変動監視部４１２による後端ＴＢ区間Ｃにおける主波の位相変動の監視結果とを用いて、復調部１２４での復調処理を制御するための制御信号をそれぞれ生成して、生成された制御信号を復調部１２４へ出力する。
【０１４６】
次いで、上記構成を有するデータ受信装置４００における主波位相変動監視の動作について説明する。
【０１４７】
主波検出部４０２では、ＴＳＣ伝搬路推定部１０８で推定したタップ係数を用いて、受信信号の最大のレベル（たとえば、電力レベル）を測定し、測定された最大のレベルを有するパスの位相を測定することによって、受信信号の主波を検出する。そして、測定された主波の位相を主波レベル変動監視部４０８、先端ＴＢ伝搬路推定部１１０ａおよび後端ＴＢ伝搬路推定部１１２ａへ出力する。
【０１４８】
そして、主波位相測定部４０４で、先端ＴＢ伝搬路推定部１１０ａで推定した先端ＴＢ区間Ｂのタップ係数を用いて、主波の位相を測定する。そして、測定された位相を主波位相変動監視部４１０へ出力する。
【０１４９】
また、主波位相測定部４０６で、後端ＴＢ伝搬路推定部１１２ａで推定した後端ＴＢ区間Ｃのタップ係数を用いて、主波の位相を測定する。そして、測定された位相を主波位相変動監視部４１２へ出力する。
【０１５０】
そして、主波位相変動監視部４０８で、主波検出部４０２で検出した主波の位相の変動を複数のスロットにわたって統計的な方法で監視する。そして、位相の変動の監視結果を前半データ用復調制御部１２０ｂおよび後半データ用復調制御部１２２ｂへ出力する。
【０１５１】
また、主波位相変動監視部４１０で、主波位相測定部４０４で検出した主波の位相の変動を複数のスロットにわたって統計的な方法で監視する。そして、位相の変動の監視結果を前半データ用復調制御部１２０ｂへ出力する。
【０１５２】
また、主波位相変動監視部４１２で、主波位相測定部４０６で検出した主波の位相の変動を複数のスロットにわたって統計的な方法で監視する。そして、位相の変動の監視結果を後半データ用復調制御部１２２ｂへ出力する。
【０１５３】
そして、前半データ用復調制御部１２０ｂで、タップ数推定部１１４で推定したＴＳＣ区間Ａに対応するタップ数およびタップ数推定部１１６で推定した先端ＴＢ区間Ｂに対応するタップ数と、主波位相変動監視部４０８によるＴＳＣ区間Ａにおける主波の位相変動の監視結果および主波位相変動監視部４１０による先端ＴＢ区間Ｂにおける主波の位相変動の監視結果とを用いて、復調部１２４での復調処理を制御するための制御信号をそれぞれ生成して、生成された制御信号を復調部１２４へ出力する。
【０１５４】
また、後半データ用復調制御部１２２ｂで、タップ推定部１１４で推定したＴＳＣ区間Ａに対応するタップ数およびタップ数推定部１１８で推定した後端ＴＢ区間Ｃに対応するタップ数と、主波位相変動監視部４０８によるＴＳＣ区間Ａにおける主波の位相変動の監視結果および主波位相変動監視部４１２による後端ＴＢ区間Ｃにおける主波の位相変動の監視結果とを用いて、復調部１２４での復調処理を制御するための制御信号をそれぞれ生成して、生成された制御信号を復調部１２４へ出力する。
【０１５５】
このように、本実施の形態によれば、伝搬路特性に基づいて受信信号の主波を検出し、検出された主波の位相を測定し、測定された位相の変動を統計的な方法で監視し、主波位相変動監視部４０８、４１０、４１２の監視結果に基づいて復調部１２４における復調処理の制御を行うため、主波のレベルの変動に応じて復調処理の制御を行うことができ、復調処理の際にスロット内での伝搬路特性の変動に追従することができ、受信性能を向上することができる。
【０１５６】
なお、実施の形態４に係るデータ受信装置の構成は図８に示す通りであるが、一変更例として、図９に示すような構成を有しても良い。図８に示すデータ受信装置４００は、１スロット内の複数のポイント（すなわち、ＴＳＣ区間Ａ、先端ＴＢ区間Ｂおよび後端ＴＢ区間Ｃ）における伝搬路特性のそれぞれに基づいて主波の位相の変動を監視するが、図９に示すデータ受信装置４５０は、１スロット内の１ポイント（たとえば、ＴＳＣ区間Ａ）における伝搬路特性だけに基づいて主波の位相の変動を監視する構成を有し、データ受信装置４００における前半データ用復調制御部１２０ｂおよび後半データ用復調制御部１２２ｂの代わりに復調制御部４５２を有し、復調部１２４の代わりに復調部４５４を有する。
【０１５７】
復調制御部４５２は、データ受信装置４００における前半データ用復調制御部１２０ｂおよび後半データ用復調制御部１２２ｂと同様の方法によって、タップ数推定部１１４によって推定されたＴＳＣ区間Ａに対応するタップ数と、主波位相変動監視部４０８による主波の位相の変動の監視結果とに基づいて復調部４５４での復調処理を制御するための制御信号をそれぞれ出力し、復調部４５４は、データ受信装置４００における復調部１２４と同様の方法によって、復調制御部４５２から得られた制御信号に従って受信信号メモリ１０６から得られた受信信号を復調する。
【０１５８】
このように、図９に示すデータ受信装置４５０においても、伝搬路特性に基づいて主波の位相の変動を監視し、主波位相変動監視部４０８の監視結果に基づいて復調部４５４における復調処理の制御を行うため、主波のレベルの変動に応じて復調処理の制御を行うことができ、受信性能を向上することができる。
【０１５９】
また、実施の形態４に係るデータ受信装置は、ＧＳＭ方式の移動体通信システムに適用された構成を有し、図２に示すＧＳＭ方式のフレーム構成を有する信号を受信すると述べたが、ＧＳＭ方式への適用のみに限定されない。複数の既知信号が１スロット内に含まれるフレーム構成を有する移動体通信システムであれば如何なる方式の移動体通信システムにもこのデータ受信装置を適用することができる。
【０１６０】
（実施の形態５）
図１０は、本発明の実施の形態５に係るデータ受信装置の構成を示すブロック図である。なお、図１０に示すデータ受信装置５００は、図１に示すデータ受信装置１００と同様の基本的構成を有しており、同一の構成要素には同一の参照符号を付し、その説明を省略する。
【０１６１】
実施の形態５の特徴は、１スロットの期間内の複数のポイントにおける伝搬路を推定し、各伝搬路特性に基づいてタップ数の推定、主波のレベルの変動監視および主波の位相の変動監視を行うようにしたことである。そのために、図１０に示すデータ受信装置５００は、データ受信装置１００における先端ＴＢ伝搬路推定部１１０、後端ＴＢ伝搬路推定部１１２、タップ数推定部１１４、１１６、１１８、前半データ用復調制御部１２０および後半データ用復調制御部１２２の代わりに、実施の形態３に係るデータ受信装置３００と同様の先端ＴＢ伝搬路推定部１２０ａおよび後端ＴＢ伝搬路推定部１１２ａ、実施の形態２に係るデータ受信装置２００と同様のタップ数推定部１１４ａ、１１６ａ、１１８ａ、前半データ用復調制御部１２０ｃならびに後半データ用復調制御部１２２ｃを有し、実施の形態２に係るデータ受信装置２００と同様のタップ数変動監視部２０２、２０４、２０６、主波検出部５０２、主波レベル／位相測定部５０４、５０６、実施の形態３に係るデータ受信装置３００と同様の主波レベル変動監視部３０８、３１０、３１２および実施の形態４に係るデータ受信装置４００と同様の主波位相変動監視部４０８、４１０、４１２を有する。
【０１６２】
主波検出部５０２は、実施の形態３における主波検出部３０２と同様の方法によって、受信信号の主波を検出する。そして、測定された主波のレベルを主波レベル変動監視部３０８へ出力し、測定された主波の位相を主波位相変動監視部４０８、先端ＴＢ伝搬路推定部１１０ａおよび後端ＴＢ伝搬路推定部１１２ａへ出力する。
【０１６３】
主波レベル／位相測定部５０４は、実施の形態３における主波レベル測定部３０４と同様の方法によって、先端ＴＢ伝搬路推定部１１０ａによって推定された先端ＴＢ区間Ｂのタップ係数を用いて主波のレベルを測定し、測定されたレベルを主波レベル変動監視部３１０へ出力する。さらに、主波レベル／位相測定部５０４は、実施の形態４における主波位相測定部４０４と同様の方法によって、先端ＴＢ伝搬路推定部１１０ａによって推定された先端ＴＢ区間Ｂのタップ係数を用いて主波の位相を測定し、測定された位相を主波位相変動監視部４１０へ出力する。
【０１６４】
主波レベル／位相測定部５０６は、実施の形態３における主波レベル測定部３０６と同様の方法によって、後端ＴＢ伝搬路推定部１１２ａによって推定された後端ＴＢ区間Ｃのタップ係数を用いて主波のレベルを測定し、測定されたレベルを主波レベル変動監視部３１２へ出力する。さらに、主波レベル／位相測定部５０６は、実施の形態４における主波位相測定部４０６と同様の方法によって、後端ＴＢ伝搬路推定部１１２ａによって推定された後端ＴＢ区間Ｃのタップ係数を用いて主波の位相を測定し、測定された位相を主波位相変動監視部４１２へ出力する。
【０１６５】
前半データ用復調制御部１２０ｃは、実施の形態１における前半データ用復調制御部１２０と同様に、タップ数推定部１１４ａによって推定されたＴＳＣ区間Ａに対応するタップ数とタップ数推定部１１６ａによって推定された先端ＴＢ区間Ｂに対応するタップ数とを用いて、復調部１２４での復調処理を制御するための制御信号を生成して、生成された制御信号を復調部１２４へ出力する。
【０１６６】
また、前半データ用復調制御部１２０ｃは、実施の形態３における前半データ用復調制御部１２０ａと同様に、主波レベル変動監視部３０８によるＴＳＣ区間Ａにおける主波の位相変動の監視結果と主波レベル変動監視部３１０による先端ＴＢ区間Ｂにおける主波の位相変動の監視結果とを用いて、復調部１２４での復調処理を制御するための制御信号を生成して、生成された制御信号を復調部１２４へ出力する。
【０１６７】
さらに、前半データ用復調制御部１２０ｃは、実施の形態４における前半データ用復調制御部１２０ｂと同様に、主波位相変動監視部４０８によるＴＳＣ区間Ａにおける主波の位相変動の監視結果と主波位相変動監視部４１０による先端ＴＢ区間Ｂにおける主波の位相変動の監視結果とを用いて、復調部１２４での復調処理を制御するための制御信号を生成して、生成された制御信号を復調部１２４へ出力する。
【０１６８】
後半データ用復調制御部１２２ｃは、前半データ用復調制御部１２０ｃと同様の方法によって、タップ推定部１１４ａによって推定されたＴＳＣ区間Ａに対応するタップ数およびタップ数推定部１１８ａによって推定された後端ＴＢ区間Ｃに対応するタップ数と、主波レベル変動監視部３０８によるＴＳＣ区間Ａにおける主波のレベル変動の監視結果および主波レベル変動監視部３１２による後端ＴＢ区間Ｃにおける主波のレベル変動の監視結果と、主波位相変動監視部４０８によるＴＳＣ区間Ａにおける主波の位相変動の監視結果および主波位相変動監視部４１２による後端ＴＢ区間Ｃにおける主波の位相変動の監視結果とを用いて、復調部１２４での復調処理を制御するための制御信号をそれぞれ生成して、生成された制御信号を復調部１２４へ出力する。
【０１６９】
次いで、上記構成を有するデータ受信装置５００における復調制御の動作について説明する。
【０１７０】
主波検出部５０２では、実施の形態３における主波検出部３０２と同様の方法によって受信信号の主波を検出し、測定された主波のレベルを主波レベル変動監視部３０８へ出力し、測定された主波の位相を主波位相変動監視部４０８、先端ＴＢ伝搬路推定部１１０ａおよび後端ＴＢ伝搬路推定部１１２ａへ出力する。
【０１７１】
そして、主波レベル／位相測定部５０４で、実施の形態３における主波レベル測定部３０４での動作と同様に主波のレベルを測定し、測定されたレベルを主波レベル変動監視部３１０へ出力する。さらに、主波レベル／位相測定部５０４は、実施の形態４における主波位相測定部４０４での動作と同様に主波の位相を測定し、測定された位相を主波位相変動監視部４１０へ出力する。
【０１７２】
また、主波レベル／位相測定部５０６で、実施の形態３における主波レベル測定部３０６での動作と同様に主波のレベルを測定し、測定されたレベルを主波レベル変動監視部３１２へ出力する。さらに、主波レベル／位相測定部５０６で、実施の形態４における主波位相測定部４０６での動作と同様に主波の位相を測定し、測定された位相を主波位相変動監視部４１２へ出力する。
【０１７３】
そして、前半データ用復調制御部１２０ｃで、実施の形態１における前半データ用復調制御部１２０での動作と同様に、復調部１２４での復調処理を制御するための制御信号を生成して、生成された制御信号を復調部１２４へ出力する。また、実施の形態３における前半データ用復調制御部１２０ａでの動作と同様に、復調部１２４での復調処理を制御するための制御信号を生成して、生成された制御信号を復調部１２４へ出力する。さらに、実施の形態４における前半データ用復調制御部１２０ｂでの動作と同様に、復調部１２４での復調処理を制御するための制御信号を生成して、生成された制御信号を復調部１２４へ出力する。
【０１７４】
また、後半データ用復調制御部１２２ｃで、前半データ用復調制御部１２０ｃでの動作と同様に、復調部１２４での復調処理を制御するための制御信号をそれぞれ生成して、生成された制御信号を復調部１２４へ出力する。
【０１７５】
このように、本実施の形態によれば、伝搬路特性に基づいて推定されたタップ数の変動を統計的な方法で監視し、タップ数変動監視部２０２、２０４、２０６の監視結果に基づいてタップ数の推定を行い、伝搬路特性に基づいて受信信号の主波を検出し、検出された主波のレベルおよび位相を測定し、測定されたレベルおよび位相の変動を統計的な方法でそれぞれ監視し、推定されたタップ数、主波レベル変動監視部３０８、３１０、３１２の監視結果および主波位相変動監視部４０８、４１０、４１２の監視結果に基づいて復調部１２４における復調処理の制御を行うため、伝搬路特性の変動の変動が小さい場合や伝搬路特性の変動がない場合には、タップ数の推定範囲を制限してタップ数の推定を行うことができ、タップ数を推定する際の演算処理量を低減することができる。また、主波のレベルの変動および位相の変動に応じて復調処理の制御を行うことができ、復調処理の際にスロット内での伝搬路特性の変動に追従することができ、受信性能を向上することができる。
【０１７６】
なお、本実施の形態において、タップ数変動監視部２０２、２０４、２０６は、指示信号をタップ数推定部１１４ａ、１１６ａ、１１８ａへそれぞれ出力しているが、実施の形態２において記載した一変更例と同様に、指示信号をＴＳＣ伝搬路推定部１０８、先端ＴＢ伝搬路推定部１１０ａおよび後端ＴＢ伝搬路推定部１１２ａへ出力する構成を採っても良い。このような構成を採ることによって、伝搬路特性の変動が小さい場合や伝搬路特性の変動がない場合にタップ係数の推定範囲を制限してタップ係数の推定を行うことができ、タップ係数を推定する際の演算処理量を低減することができる。
【０１７７】
また、実施の形態５に係るデータ受信装置の構成は図１０に示す通りであるが、一変更例として、図１１に示すような構成を有しても良い。図１０に示すデータ受信装置５００は、１スロット内の複数のポイント（すなわち、ＴＳＣ区間Ａ、先端ＴＢ区間Ｂおよび後端ＴＢ区間Ｃ）における伝搬路特性のそれぞれに基づいてタップ数を推定し、主波のレベルおよび位相の変動を監視するが、図１１に示すデータ受信装置５５０は、１スロット内の１ポイント（たとえば、ＴＳＣ区間Ａ）における伝搬路特性だけに基づいてタップ数を推定し、主波のレベルおよび位相の変動を監視する構成を有し、データ受信装置５００における前半データ用復調制御部１２０ｃおよび後半データ用復調制御部１２２ｃの代わりに復調制御部５５２を有し、復調部１２４の代わりに復調部５５４を有する。
【０１７８】
復調制御部５５２は、データ受信装置５００における前半データ用復調制御部１２０ｃおよび後半データ用復調制御部１２２ｃと同様の方法によって、タップ数推定部１１４ａによって推定されたＴＳＣ区間Ａに対応するタップ数と、主波レベル変動監視部３０８による主波のレベルの変動の監視結果と、主波位相変動監視部４０８による主波の位相の変動の監視結果とに基づいて復調部５５４での復調処理を制御するための制御信号をそれぞれ出力し、復調部５５４は、データ受信装置５００における復調部１２４と同様の方法によって、復調制御部５５２から得られた制御信号に従って受信信号メモリ１０６から得られた受信信号を復調する。
【０１７９】
このように、図１１に示すデータ受信装置５５０においても、伝搬路特性の変動の変動が小さい場合や伝搬路特性の変動がない場合にタップ数の推定範囲を制限してタップ数の推定を行うことができ、タップ数およびタップ係数を推定する際の演算処理量を低減することができる。また、主波のレベルの変動および位相の変動に応じて復調処理の制御を行うことができ、受信性能を向上することができる。
【０１８０】
また、実施の形態５に係るデータ受信装置は、ＧＳＭ方式の移動体通信システムに適用された構成を有し、図２に示すＧＳＭ方式のフレーム構成を有する信号を受信すると述べたが、ＧＳＭ方式への適用のみに限定されない。複数の既知信号が１スロット内に含まれるフレーム構成を有する移動体通信システムであれば如何なる方式の移動体通信システムにもこのデータ受信装置を適用することができる。
【０１８１】
【発明の効果】
以上説明したように、本発明によれば、各スロット内での伝搬路特性の変動に追従することができ、受信性能を向上することができる。
【図面の簡単な説明】
【図１】本発明の実施の形態１に係るデータ受信装置の構成を示すブロック図
【図２】ＧＳＭ方式の移動体通信システムにおいて使用される信号のフレーム構成を示す図
【図３】ＧＳＭ方式の移動体通信システムにおけるフェードデュレーションを説明するための図
【図４】本発明の実施の形態２に係るデータ受信装置の構成を示すブロック図
【図５】本発明の実施の形態２に係るデータ受信装置の構成の一変更例を示すブロック図
【図６】本発明の実施の形態３に係るデータ受信装置の構成を示すブロック図
【図７】本発明の実施の形態３に係るデータ受信装置の構成の一変更例を示すブロック図
【図８】本発明の実施の形態４に係るデータ受信装置の構成を示すブロック図
【図９】本発明の実施の形態４に係るデータ受信装置の構成の一変更例を示すブロック図
【図１０】本発明の実施の形態５に係るデータ受信装置の構成を示すブロック図
【図１１】本発明の実施の形態５に係るデータ受信装置の構成の一変更例を示すブロック図
【符号の説明】
１００、２００、２５０、３００、３５０、４００、４５０、５００、５５０データ受信装置
１０２  アンテナ
１０４  無線処理部
１０６  受信信号メモリ
１０８  ＴＳＣ伝搬路推定部
１１０、１１０ａ  先端ＴＢ伝搬路推定部
１１２、１１２ａ  後端ＴＢ伝搬路推定部
１１４、１１４ａ、１１６、１１６ａ、１１８、１１８ａ  タップ数推定部
１２０、１２０ａ、１２０ｂ、１２０ｃ  前半データ用復調制御部
１２２、１２２ａ、１２２ｂ、１２２ｃ  後半データ用復調制御部
１２４、２５４、３５４、４５４、５５４  復調部
１５０  トレーニング系列符号
１５２、１５４  テールビット
１５６、１５８  データ
１６０  ガードインターバル
２０２、２０４、２０６  タップ数変動監視部
２５２、３５２、４５２、５５２  復調制御部
３０２、４０２、５０２  主波検出部
３０４、３０６  主波レベル測定部
３０８、３１０、３１２  主波レベル変動監視部
４０４、４０６  主波位相測定部
４０８、４１０、４１２  主波位相変動監視部
５０４、５０６  主波レベル／位相測定部
【図１】
2004159077.tif 000003
【図２】
2004159077.tif 000004
【図３】
2004159077.tif 000005
【図４】
2004159077.tif 000006
【図５】
2004159077.tif 000007
【図６】
2004159077.tif 000008
【図７】
2004159077.tif 000009
【図８】
2004159077.tif 000010
【図９】
2004159077.tif 000011
【図１０】
2004159077.tif 000012
【図１１】
2004159077.tif 000013